(57)【要約】【課題】プランジャへ与えられるサイドフォースを減少させて動作を円滑化させ、信頼性を向上させたプランジャポンプを提供する。【解決手段】ポンプ作動室２５の流体を加圧可能なプランジャ２と、プランジャ２の反ポンプ作動室側に設けたリフタ４と、リフタ４をポンプ作動室２５方向に付勢する付勢手段５と、リフタ４を押圧することによってプランジャ２をポンプ作動室２５方向に摺動させる回転カム６と、を備える。回転カム６がプランジャ２をポンプ作動室方向２５に押圧する際に、付勢手段５による付勢力を、プランジャ軸線に対して、回転カム６とリフタ４が接触する側に偏って作用させる。回転カム６の押圧力が作用する一側に、この押圧力が作用しない他側よりも大きな付勢力を付与して、弾性手段５と回転カム６によるリフタ４への押圧力の偏在を相殺する。【選択図】    図１
2004308425.tif 000002
【特許請求の範囲】
【請求項１】
ポンプ筺体内に摺動可能に設置され、一端側に形成したポンプ作動室の流体を加圧可能なプランジャと、
このプランジャの反ポンプ作動室側である他端側に設けたリフタと、
このリフタを前記ポンプ作動室方向に付勢する付勢手段と、
リフタを押圧することによってプランジャをポンプ作動室方向に摺動させるとともに、カム中心軸とプランジャ軸中心とが略同一直線上に位置するように設けられた回転カムと、を備えたプランジャポンプにおいて、
前記回転カムが前記プランジャを前記ポンプ作動室方向に押圧する際に、前記付勢手段による付勢力を、プランジャ軸線に対して、回転カムとリフタが接触する側に偏って作用させることにより、回転カムの押圧力が作用する一側に、この押圧力が作用しない他側よりも大きな付勢力を付与するようにしたことを特徴とするプランジャポンプ。
【請求項２】
前記付勢手段がプランジャの周囲に形成したコイルスプリングであり、このコイルスプリングの中心軸線が、リフタが前記回転カムによって押圧される位置に対応する位置またはこれに近接した位置となるように、前記コイルスプリングをリフタに対してオフセットして当接させたことを特徴とする請求項１に記載のプランジャポンプ。
【請求項３】
前記付勢手段がプランジャの周囲に形成したコイルスプリングであり、螺旋状に形成された各ループの径が偏って変化する不等径コイルスプリングであり、前記リフタが前記回転カムと接触する位置に最も強い弾発力が作用するようにリフタに対して当接させたことを特徴とする請求項１に記載のプランジャポンプ。
【請求項４】
ポンプ筺体内に摺動可能に設置され、一端側に形成したポンプ作動室の流体を加圧可能なプランジャと、
このプランジャの反ポンプ作動室側である他端側に設けたリフタと、
このリフタを前記ポンプ作動室方向に付勢する付勢手段と、
リフタを押圧することによってプランジャをポンプ作動室方向に摺動させる回転カムと、を備えたプランジャポンプにおいて、
ポンプ筺体内において前記プランジャを摺動可能に保持する保持部の剛性を低くして、プランジャの摺動に伴い保持部を変形可能としたことを特徴とするプランジャポンプ。
【請求項５】
前記ポンプ筺体内において前記プランジャを摺動可能に保持する部分の肉厚を薄く形成したことを特徴とする請求項４に記載のプランジャポンプ。
【請求項６】
前記ポンプ筺体内において前記プランジャを摺動可能に保持する部分を柔軟材により形成したことを特徴とする請求項４に記載のプランジャポンプ。
【請求項７】
前記ポンプ筺体内において前記プランジャを保持する部分に球体のスリーブを内嵌させて回動可能に保持するとともに、このスリーブの中心にプランジャを挿通したことを特徴とする請求項４に記載のプランジャポンプ。
【請求項８】
前記ポンプ筺体内において前記プランジャを保持する部分にスリーブを緩嵌させるとともに、スリーブ内にプランジャを挿通し、スリーブの周囲にパッキンを設けたことを特徴とする請求項４に記載のプランジャポンプ。
【発明の詳細な説明】
【０００１】
【発明の属する技術分野】
本発明は、主に自動車の燃料噴射装置に用いるのに好適なプランジャポンプに関し、更に詳細にはポンプ動作を円滑化させるための構造に関する。
【０００２】
【従来の技術】
一般に、自動車の燃料噴射装置などに用いられるプランジャポンプは、図１２に示すように、シリンダ機能を有するボデー５３内にピストン状のプランジャ５０をスライド可能に内嵌し、このプランジャ５０の一端側にカップ状に形成したリフタ５４を、開口部をボデー側に向けて設置した構造となっている。リフタ５４のカップ状の内部とボデー５３との間にはコイルスプリング５５が介挿されており、リフタ５４がボデー５３から飛び出す方向に常時、付勢されている。
【０００３】
一方、リフタ５４の外底面に接するように回転するカム５１が配置されており、このカム５１でリフタ５４を周期的に押圧することで、シリンダとプランジャ５０とで形成されるポンプ室の容積を変化させ燃料を圧送する構造となっている。なお、プランジャ５０は燃料圧力ＰＦによって図１２における下方向に戻り、次回の圧送に備えるような構造となっている。
【０００４】
このように、プランジャ５０は回転する楕円形のカム５１で押圧されるため、プランジャ５０にはそのスライド方向とは異なる方向にも押圧力（サイドフォース）を受けることとなる。
【０００５】
すなわち、カム５１はその回転中心と、プランジャとカムとの接点、それにプランジャの作動（スライド）方向が、カム５１の上死点付近を除いては一直線上になく、プランジャ５０は、揺動運動が与えられながら、スライド運動をすることとなる。
【０００６】
これを図１２から図１６で順を追って説明すると、図１２に示すようにカム５１が下死点にあるときは、カム５１とプランジャ５０との接点がプランジャ５０の中心にあり、サイドフォースは生じない。図１３に示すようにカム５１の回転が進むと、カム５１とプランジャ５０との接点がずれて、図中Ｆに示す小さなサイドフォースが生ずる。さらにカム５１の回転が進むと、図１４に示すようにサイドフォースが増大してくる。そして、カム５１が上死点まで回転すると図１５に示すようにカム５１とプランジャ５０との接点がプランジャ５０の中心となりサイドフォースはなくなる。
【０００７】
さらに図１６に示すように、カム５１の回転が進むと、カム５１とプランジャ５０との接点がずれ、再び図中Ｆに示す小さなサイドフォースが生ずるようになる。
【０００８】
このようにプランジャにはカムの回転角度に応じたサイドフォースが繰り返し与えられることになり、プランジャとシリンダとの間で擦動抵抗が生ずる結果、部品の摩耗やパワーロスを招くことになる。
【０００９】
とりわけ部品の摩耗に伴って燃料が漏洩量が増大し、ポンプの容積効率が低下する。これを解決するために、プランジャとシリンダとを耐摩耗性の高い材料で形成したり、コーティング等の表面改質を行うことが考えられるが、コスト高となることは避けられない。
【００１０】
そこで上記の問題を解消するために、特許文献１に示すものが提案されている。
【００１１】
これは、図１７に示すように、ポンプの一部を構成するプランジャ５０と、カム５１との間にシュー５２を介在させたもので、従来、直接に接触していたプランジャ５０とカム５１との直接接触を避けるように構成したものである。さらにプランジャ５０の一端を球状に形成するとともに、シュー５２にはその球状部分を受ける凹部を形成し、カム５１に押圧されたシュー５２に角度がついた場合でもプランジャ５０とシュー５２とが外れないようになっている。
【００１２】
【特許文献１】
特開平１０−１７６６５３号公報
【００１３】
【発明が解決しようとする課題】
しかし、前記した特許文献１に示すものでは、動作を多少円滑化はすることは期待できてもプランジャ５０へ与えられるサイドフォースそのものを緩和する効果は少なく、根本的な解決にはならない。
【００１４】
つまり、シュー５２はその位置が筺体との関係において保持されているわけではなく、単にプランジャ５０とカム５１との間に挟持されながら球面上を軸として作動するに過ぎない。つまり動作中はカム５１に押されたシュー５２の傾き角度が大きくなるためにプランジャ５０の軸中心と力点とがずれてしまい、サイドフォース自体が解消することはない。
【００１５】
なお、この構造ではプランジャ５０とシュー５２との接触面をそれぞれ球面に加工する必要があることから、成形にコストがかかるという問題もある。
【００１６】
本発明は、上記のような事情に鑑みてされたもので、ポンプ動作を円滑化させるとともに、プランジャへ与えられるサイドフォースを減少させて、信頼性と耐久性を向上させたプランジャポンプを提供することを技術的課題とする。
【００１７】
【課題を解決するための手段】
本発明のプランジャポンプは、前述した技術的課題を解決するために以下のように構成されている。
【００１８】
すなわち、ポンプ筺体内に摺動可能に設置され、一端側に形成したポンプ作動室の流体を加圧可能なプランジャと、
このプランジャの反ポンプ作動室側である他端側に設けたリフタと、
このリフタを前記ポンプ作動室方向に付勢する付勢手段と、
リフタを押圧することによってプランジャをポンプ作動室方向に摺動させるとともに、カム中心軸とプランジャ軸中心とが略同一直線上に位置するように設けられた回転カムと、を備えたプランジャポンプにおいて、
前記回転カムが前記プランジャを前記ポンプ作動室方向に押圧する際に、前記付勢手段による付勢力を、プランジャ軸線に対して、回転カムとリフタが接触する側に偏って作用させることにより、回転カムの押圧力が作用する一側に、この押圧力が作用しない他側よりも大きな付勢力を付与するようにしたこと特徴とする。
【００１９】
前記付勢手段をプランジャの周囲に形成したコイルスプリングとして、このコイルスプリングの中心軸線が、リフタが前記回転カムによって押圧される位置に対応する位置またはこれに近接した位置となるように、前記コイルスプリングをリフタに対してオフセットして当接させることができる。
【００２０】
このようにすれば、リフタを滑らかにスライド移動させるための力点がリフタの中心、すなわちプランジャの中心からずれることになる。
【００２１】
一方、回転カムがリフタをはじめに押し上げる位置はリフタの中心からずれており、前記付勢手段の付勢力の偏りをこれに一致させてある。したがって全体としてみるとプランジャを移動させる作用点のずれが相殺、或いはうち消されて、リフタに付与される回転カムによる押圧力が平均化し、プランジャに横向きの力が与られなくなる。
【００２２】
また、前記付勢手段をプランジャの周囲に形成したコイルスプリングとして、このコイルスプリングは螺旋状に形成された各ループの径が偏って変化する不等径であって、前記リフタが前記回転カムと接触する位置に最も強い弾発力が作用するようにリフタに対して当接させることができる。
【００２３】
このような構成では、従来のアッセンブリーをそのまま利用し、付勢手段を交換するだけで所定の効果が得られるという利点がある。
【００２４】
他の発明では、ポンプ筺体内に摺動可能に設置され、一端側に形成したポンプ作動室の流体を加圧可能なプランジャと、
このプランジャの反ポンプ作動室側である他端側に設けたリフタと、
このリフタを前記ポンプ作動室方向に付勢する付勢手段と、
リフタを押圧することによってプランジャをポンプ作動室方向に摺動させる回転カムと、を備えたプランジャポンプにおいて、
ポンプ筺体内において前記プランジャを摺動可能に保持する保持部の剛性を低くして、プランジャの摺動に伴い保持部を変形可能としたことを特徴とする。
【００２５】
このように、プランジャの保持部の剛性を低くすることで、プランジャにサイドフォースが加わった場合でもその力を分散させることができ、摩擦力が増加することがない。
【００２６】
プランジャを摺動可能に保持する部分の剛性を低くするには、具体的に、例えば、以下の（１）〜（４）の構成とすることができる。
（１）ポンプ筺体内において前記プランジャを摺動可能に保持する部分の肉厚をプランジャの内端部分を除いて薄く形成する。
【００２７】
この構成では、剛性を低くするための部品を付加する必要がないため、低コストで実施できる。
（２）ポンプ筺体内において前記プランジャを摺動可能に保持する部分を柔軟材で形成する。
【００２８】
このような構成を採った場合には、ポンプ筺体内において前記プランジャを摺動可能に保持する部分の剛性を任意に設定でき、また、柔軟材として種々の強度をもつものを用意し、必要なポンプ圧などに応じて交換することで様々な設定に対応することができる。
（３）ポンプ筺体内において前記プランジャを保持する部分に球形スリーブを内嵌させて回動可能に保持するとともに、この球形スリーブの中心にプランジャを挿通する。
【００２９】
この構成では、プランジャに対するサイドフォースをほぼ完全に解消できるため、極めて耐久性の高いものとすることができる。
（４）ポンプ筺体内において前記プランジャを保持する部分にスリーブを緩嵌させるとともに、スリーブ内にプランジャ２を挿通し、スリーブの周囲に、例えばＯリング等のパッキンを装着する。
【００３０】
この構成では、パッキンにより燃料経路の密閉性が良好となるため、特に信頼性を要する燃料ポンプに適する。
【００３１】
上記（１）から（４）のような構成では、特殊な材料加工や専用の素材を必要とせず、低コストで実施することが可能である。
【００３２】
本発明によれば、プランジャに横向きの力が作用することがなくなるか、またはプランジャに作用する横向きの力を分散させることができので、プランジャとシリンダの間に摩擦力が発生することが抑制される。
【００３３】
【発明の実施の形態】
以下、本発明のプランジャポンプを図１から図１１に示される実施形態について更に詳細に説明する。
【００３４】
このプランジャポンプは燃料噴射装置における燃料加圧用ポンプとして構成したものである。図１は基本的な構成を示しており、上ポンプ筺体１ａと下ポンプ筺体１ｂからポンプ筺体１が構成されている。
【００３５】
上ポンプ筺体１ａは全体筒状に形成され、その中心部にプランジャ２が摺動可能に設けられ、その上端にはポンプ作動室２５が形成されている。そして、図示しない電動ポンプから低圧に加圧された燃料が、上ポンプ筺体１ａの上部に設けられた電磁弁２２側から供給される。プランジャ２の図１における上下動によって、ポンプ作動室２５に到達した燃料が加圧される。すると、この燃料は、上ポンプ筺体１ａの側面に設けられた燃料圧送パイプ２０から、図示しない内燃機関のシリンダヘッドに設けられた燃料噴射ノズルへ圧送される構造となっている。
【００３６】
燃料圧送パイプ２０の取り付け部分の燃料路中には、逆止弁２１が設けられており、高圧に加圧された燃料が逆流しないようになっている。上ポンプ筺体１ａの底部には環状のシール３０が、筒状のシールホルダ３１と一体となって取り付けられており、気液密性が確保されている。
【００３７】
一方、下ポンプ筺体１ｂはフランジを有するパイプ状に形成され、プランジャ２の外端３を包囲する形状になっている。
【００３８】
また、下ポンプ筺体１ｂの内部には、有底筒状に形成したリフタ４が、間隙をもって嵌入されている。このリフタ４の底部周囲には、段部４ｂが形成されており、この段部４ｂが下ポンプ筺体１ｂの下端に突設されたストッパー１ｅに係止することで、リフタ４が下ポンプ筺体１ｂから抜けることを防止している。リフタ４の底部上面には、内径部分が一方向に突出した円盤状のサブリフタ４ａが設けられている。このサブリフタ４ａの中央には穿孔部が設けられている。
【００３９】
前記プランジャ２の外端３には径縮部２ａが形成されており、この径縮部２ａとサブリフタ４ａの穿孔部とを、若干のクリアランスを以て嵌合させてある。
【００４０】
前記リフタ４の内側には、弾性手段としての不等径コイルスプリング５が取り付けられている。この不等径コイルスプリング５は、上ポンプ筺体１ａの底部とサブリフタ４ａの上面との間に張設されており、リフタ４を下ポンプ筺体１ｂの下端から押し出す方向（ポンプ作動室２５が設けられた側と反対の方向）に付勢している。不等径コイルスプリング５は上ポンプ筺体１ａの底部に当たる側が径大に、また、サブリフタ４ａの上面に当たる側が径縮に形成されている。
【００４１】
前記リフタ４の外面の底部側には、回転カム６が配置されている。この回転カム６は図示しない内燃機関のカムシャフトに同期して回転する。なお、ここでは回転カム６の形状は楕円形に形成されているが、内燃機関の形式に応じて山の数やカムプロフィールを設定することができる。
【００４２】
前記回転カム６の回転によってリフタ４が一定間隔で押圧され、リフタ４の上下動に伴ってサブリフタ４ａも上下動し、プランジャ２が往復運動するようになっている。
【００４３】
前記回転カム６は、その中心軸の位置がプランジャ２の軸線上になるよう配置されている。したがって、回転カム６が上死点にあるとき以外はリフタ４を中心位置で押圧することができず、リフタ４の中心からオフセットした位置を押圧することになる。
【００４４】
図１の位置関係では、回転カム６が矢示方向に回転するとリフタ４の底部の右側から徐々に中心部に向けて押されるようになる。
【００４５】
前記不等径コイルスプリング５の径縮端は、リフタ４の底部上面に弾発力を与えるに際して、その弾発力の分布を前記回転カム６がリフタ４を押し上げる位置に集中して強くなるよう偏らせて組み込んである。すなわち、サブリフタ４ａに、不等径コイルスプリング５の位置決め突起などを形成することで、この不等径コイルスプリング５の径縮端の中心を、回転カム６がリフタ４の底部を押し始める位置側にずらしてある。
【００４６】
このように不等径コイルスプリング５の径縮端の中心を、回転カム６がリフタ４の底部を押し始める位置側にずらすことで奏される作用を、以下、図２及び図３に基づいて説明する。
【００４７】
図３は、オフセットしない一般のコイルスプリングを使用した場合の動作を示しており、回転カム６がリフタ４を押し上げる接点位置Ｐにおいて回転カム６はリフタ４にＦ１なる押圧を与える。
【００４８】
一方、コイルスプリング５の弾発力発生中心はあくまでリフタ４の中心であることから、リフタ４にＦ２なる反作用を付与する。この図から明らかなように、押圧力Ｆ１とＦ２はその位置が異なっており、これがプランジャ２に横力（サイドフォース）を発生させる要因となる。
【００４９】
一方、本発明の装置を模式化して示す図２では、回転カム６がリフタ４を押し上げる位置Ｐにおいて、回転カム６はリフタ４にＦ１なる押圧を与える点では同様である。しかし、コイルスプリング５の弾発力の発生中心は、リフタ４の中心から接点位置Ｐ側にオフセットされ、Ｆ２なる反作用を与える。この図から明らかなように、押圧力Ｆ１とＦ２は、これらの作用する位置がほぼ同一直線上にあるので、プランジャ２にほとんど横力を与えることがなくなる。
【００５０】
図４は、リフタ４の底部にスペーサ４ｆを入れることで、不等径コイルスプリング５の径縮端の中心を、回転カム６がリフタ４の底部を押し始める位置側にずらすように構成したものである。この場合、不等径コイルスプリング５の径縮端の中心が所定の位置からずれると、応力相殺の効果がなくなるため位置決めは重要である。
【００５１】
図５は、弾性手段として等径コイルスプリング５を用い、この等径コイルスプリング全体の位置を、回転カム６がリフタ４の底部を押し始める位置側にずらすように構成したものである。この例においても押圧力Ｆ１とＦ２の位置を上述のように同一直線上に一致させることができ、プランジャ２に横力を与えることが抑制される。
【００５２】
上述の実施態様は、主に弾性手段の改良によるものであるが、図６以下に述べる実施態様では、主にプランジャ２を保持する構造の改良に関するものである。なお、既に説明した部分と同一部分には同一符号を付してその説明を省略する。
【００５３】
図６は、上ポンプ筺体１ａにおいてプランジャ２を摺動可能に保持する部分の剛性を低く構成したものである。すなわち、上ポンプ筺体１ａにおいて前記プランジャ２を摺動可能に保持する部分を肉薄に形成して、パイプ状の保持部１ｈとした。そして、このパイプ状の保持部１ｈに接触しないようなクリアランスを以て、環状のサブ筺体１ｇを配置した。なお、プランジャ２の内端部分は肉薄とせず強度を確保してある。
【００５４】
これにより、プランジャ２には、保持部１ｈにおいて僅かに揺動を許容されることとなる。
【００５５】
図７は、前記プランジャ２を摺動可能に保持する部分を柔軟材７により形成したものである。この柔軟材７を、パイプ状体７ａの上縁にフランジを設けた形状として上ポンプ筺体１ａ内に装着することで、プランジャ２を揺動可能に保持する。
【００５６】
これら図６と図７に示す例において、プランジャ２に横力（サイドフォース）の発生が抑制されることを図８を参照しながら説明する。
【００５７】
図８はプランジャ２を強固に保持した場合を示し、回転カム６の作用によってプランジャ２とポンプ筺体１との間にＦ３とＦ４の横力が発生する。ここで、プランジャ２の保持力を、図６及び図７に示すように弱くした場合、横力Ｆ３、Ｆ４はプランジャ２が揺動することで逃がすことができ、プランジャ２に加わるストレスを大幅に緩和することができる。
【００５８】
また、プランジャ２を保持する部分の強度を弱くすることで、同様の効果が得られる例を、図９から図１１に基づいて説明する。
【００５９】
図９は、図７に示す装置においてパイプ状体７ａの先端部分（図において下端部分）をテーパー状に形成して肉薄としたものである。プランジャ２の揺動量が大きい部分の保持強度をさらに低下させる効果がある。
【００６０】
図１０は、ポンプ筺体１内において前記プランジャ２を保持する部分、すなわちシリンダ部分を球状スリーブ８が内嵌されたものとして、プランジャ２を揺動可能に保持したものである。これは、球形スリーブ８の中心にプランジャ２を挿通して保持し、この球形スリーブ８をさらに保持するために、ポンプ筺体１においてプランジャ２が挿通している部分が上下に２分割されている。このプランジャ２の挿通部分は、それぞれ逆方向にテーパー面を形成したロアーホルダ１ｃとアッパーホルダ１ｄとなっており、前記スリーブ８の外周面にその一部が接触しつつ、スリーブ８がポンプ筐体１から外れないように、これを所定位置に保持する。
【００６１】
このような構成であるので、前記球形スリーブ８は、それぞれのテーパー面によって挟持されつつ回転可能であり、プランジャ２が揺動可能に保持されることになる。この例では、プランジャ２の動きの自由度が高いためサイドフォースをほぼ完全に解消できる利点がある。
【００６２】
図１１は、ポンプ筺体１内において前記プランジャ２を保持する部分にスリーブ９を緩嵌させるとともに、スリーブ９内にプランジャ２を挿通したものである。スリーブ９は自由に揺動できる程度の余裕がある外径に形成されているとともに、このスリーブ９の周囲にＯリング１０が設けられている。このＯリング１０はポンプ筺体１内において前記プランジャ２を保持する部分に密着して気密性を保持するためのものである。
【００６３】
図６から図１１に示す実施態様では、プランジャ２を保持する部分の強度を意図的に低下させることで、結果としてプランジャ２に対するストレスを低減させるものである。このような作用は、図１から図５に示す実施態様の作用と異なるので、これらを適宜、組み合わせて実施することができるのは勿論である。
【００６４】
【発明の効果】
本発明によれば、プランジャに対するサイドフォースを大幅に低減することができるので、プランジャの動作を円滑化させることができる。これによりプランジャやシリンダの摩耗も防止できるため、装置の信頼性をも向上させることができる。
【図面の簡単な説明】
【図１】本発明の第１実施形態であるプランジャポンプを示す断面図である。
【図２】プランジャポンプの要部を示す断面図である。
【図３】本発明の作用を説明するためのプランジャポンプを示す断面図である。
【図４】本発明の第２実施形態であるプランジャポンプの要部を示す断面図である。
【図５】本発明の第３実施形態であるプランジャポンプの要部を示す断面図である。
【図６】本発明の第４実施形態であるプランジャポンプを示す断面図である。
【図７】第４実施形態であるプランジャポンプの要部を示す断面図である。
【図８】第４実施形態の装置の作用を説明するためのプランジャポンプを示す断面図である。
【図９】本発明の第５実施形態であるプランジャポンプを示す断面図である。
【図１０】本発明の第６実施形態であるプランジャポンプを示す断面図である。
【図１１】本発明の第７実施形態であるプランジャポンプを示す断面図である。
【図１２】従来のプランジャポンプの動作過程を示す断面図である。
【図１３】従来のプランジャポンプの動作過程でリフタが押上げられ始めた状態を示す断面図である。
【図１４】従来のプランジャポンプの動作過程でリフタが押し上げられる途中の状態を示す断面図である。
【図１５】従来のプランジャポンプの動作過程でリフタが上死点まで押し上げられた状態を示す断面図である。
【図１６】従来のプランジャポンプの動作過程でリフタが下降する途中の状態を示す断面図である。
【図１７】従来のプランジャポンプの他の例を示す断面図である。
【符号の説明】
１  ポンプ筺体
２  プランジャ
３  プランジャの外端
４  リフタ
５  コイルスプリング
６  回転カム
７  柔軟材
８  球形スリーブ
９  スリーブ
１０  Ｏリング
【図１】
2004308425.tif 000003
【図２】
2004308425.tif 000004
【図３】
2004308425.tif 000005
【図４】
2004308425.tif 000006
【図５】
2004308425.tif 000007
【図６】
2004308425.tif 000008
【図７】
2004308425.tif 000009
【図８】
2004308425.tif 000010
【図９】
2004308425.tif 000011
【図１０】
2004308425.tif 000012
【図１１】
2004308425.tif 000013
【図１２】
2004308425.tif 000014
【図１３】
2004308425.tif 000015
【図１４】
2004308425.tif 000016
【図１５】
2004308425.tif 000017
【図１６】
2004308425.tif 000018
【図１７】
2004308425.tif 000019